(57)【要約】【課題】凝縮器と圧縮機と蒸発皿によりスムーズに機械室ファンの風が流れるようにして、凝縮器と圧縮機の放熱効率および蒸発皿内の除霜水の蒸発効率の高い冷蔵庫を提供することを目的とする。【解決手段】冷蔵庫本体１の底面前部に凝縮器８と、前記凝縮器８側に向けた機械室ファン１１と、前記機械室ファン１１の吐出側でファンの軸方向に対して横に偏向した位置に配置した圧縮機１２と、前記圧縮機１２の上部に蒸発皿１３とを設けたことにより、前記凝縮器８と前記圧縮機１２と前記蒸発皿１３によりスムーズに前記機械室ファン１１の風を流すようにすることができる。【選択図】図１
2006046788.tif 000002
【特許請求の範囲】
【請求項１】
冷蔵庫本体と、冷蔵庫本体の底面前部に凝縮器を配設した冷蔵庫底面カバーと、前記冷蔵庫底面カバーの後部に冷蔵庫底面板を設け、前記冷蔵庫底面板上に吸込み面を前記凝縮器側に向けた機械室ファンと、前記機械室ファンの吐出側でファンの軸方向に対して横に偏向した位置に配置した圧縮機と、前記圧縮機の上部に蒸発皿と、前記圧縮機と蒸発皿の後方に冷蔵庫前方から吸い込まれた風を冷蔵庫後方に排出する機械室背面カバーとを設けたことを特徴とする冷蔵庫。
【請求項２】
前記冷蔵庫底面板の前記冷蔵庫底面カバーとの接続部の形状を、前記機械室ファンの吸込み部の面積が他部に比べ大きく確保できるように変化させたことを特徴とする請求項１記載の冷蔵庫。
【請求項３】
前記機械室ファンの軸を、横に並ぶ前記圧縮機側に５〜３０°傾けたことを特徴とする請求項１から２記載の冷蔵庫。
【請求項４】
前記底面カバーの冷蔵庫前面側から２００〜４００ｍｍの位置に、冷蔵庫運搬用取っ手を設けたことを特徴とする請求項１から３のいずれか一項に記載の冷蔵庫。
【発明の詳細な説明】
【技術分野】
【０００１】
本発明は、冷蔵庫の底面に設けた機械室に関するものである。
【背景技術】
【０００２】
近年、冷蔵庫底面に設けた機械室は様々なレイアウトが考案されている。（例えば、特許文献１参照）
図８は、特許文献１に記載された従来の冷蔵庫の底面の平面を示すものである。図８に示すように冷蔵庫本体１と、この本体１の底面後部に凝縮器２と、凝縮器２の横部に機械室ファン３と、さらにその横部に圧縮機４と、機械室ファン３と圧縮機４との前方に蒸発皿５と、前記凝縮器１と前記機械室ファン３間を仕切る第一の仕切り板６と、前記機械室ファン３と前記圧縮機４間を仕切る第二の仕切り板７から構成される。
【０００３】
以上のように構成された冷蔵庫について、以下その動作を説明する。
【０００４】
機械室ファン３によって冷蔵庫前方から吸い込まれる風は凝縮器２を通過して冷蔵庫の冷凍サイクル上必要な凝縮器２の冷却をした後、１８０°向きを変えて機械室ファン３に吸い込まれる。その後、機械室ファン３から吐出した風は蒸発皿５の上を通過して蒸発皿内の除霜水の蒸発を促進した後、さらに１８０°向きを変えて冷蔵庫の冷凍サイクルの効率をより高めるために圧縮機４を冷却して冷蔵庫後方に排出される。
【特許文献１】特開平４−１３０７４号公報
【発明の開示】
【発明が解決しようとする課題】
【０００５】
しかしながら上記従来の構成では、冷蔵庫前方から吸い込まれた風は２度１８０°向きを変えて後方から排出されるため風路抵抗は大きくなり、冷蔵庫の冷凍サイクル上必要な凝縮器および圧縮機の冷却効率が悪くなる課題を有していた。また前記凝縮器および圧縮機を冷却する風を利用する蒸発皿内の除霜水の蒸発に関しても同様に効率が悪くなるという課題を有していた。
【０００６】
本発明は、上記従来の課題を解決するもので、凝縮器と圧縮機と蒸発皿によりスムーズに機械室ファンの風が流れるようにして、凝縮器と圧縮機の放熱効率および蒸発皿内の除霜水の蒸発効率の高い冷蔵庫を提供することを目的とする。
【課題を解決するための手段】
【０００７】
上記従来の課題を解決するために、冷蔵庫本体と、冷蔵庫本体の底面前部に凝縮器を配設した冷蔵庫底面カバーと、前記冷蔵庫底面カバーの後部に冷蔵庫底面板を設け、前記冷蔵庫底面板上に吸込み面を前記凝縮器側に向けた機械室ファンと、前記機械室ファンの吐出側でファンの軸方向に対して横に偏向した位置に配置した圧縮機と、前記圧縮機の上部に蒸発皿と、前記圧縮機と蒸発皿の後方に冷蔵庫前方から吸い込まれた風を冷蔵庫後方に排出する機械室背面カバーとを設けたことを特徴としたものである。
【０００８】
これによって、前記機械室ファンによって冷蔵庫前方から吸い込まれる風は前記凝縮器を通過した後、向きを９０°以上変えることなくそのまま前記機械室ファンに吸い込まれ、その後、約９０°向きを変えて前記圧縮機と前記蒸発皿を通過して更に約９０°向きを変えて冷蔵庫後方に排出するようなり、前記凝縮器と前記圧縮機と前記蒸発皿によりスムーズに前記機械室ファンの風を流すようにすることができる。
【発明の効果】
【０００９】
本発明の冷蔵庫は前記凝縮器と前記圧縮機と前記蒸発皿によりスムーズに前記機械室ファンの風を流すようにしたことにより、凝縮器と圧縮機の放熱効率および蒸発皿内の除霜水の蒸発効率を高めることができる。さらに、前記機械室ファンにかかる動圧を低減することにより、動圧の増大によって発生するファン騒音を低減することができる。さらに、前記凝縮器の放熱能力の低下を極力抑え、かつ、運搬上でもより持ち易い位置に冷蔵庫運搬用取っ手を設けることにより、冷凍サイクルの効率向上と冷蔵庫運搬の利便性向上の両立ができる。
【発明を実施するための最良の形態】
【００１０】
請求項１に記載の発明は、冷蔵庫本体と、冷蔵庫本体の底面前部に凝縮器を配設した冷蔵庫底面カバーと、前記冷蔵庫底面カバーの後部に冷蔵庫底面板を設け、前記冷蔵庫底面板上に吸込み面を前記凝縮器側に向けた機械室ファンと、前記機械室ファンの吐出側でファンの軸方向に対して横に偏向した位置に配置した圧縮機と、前記圧縮機の上部に蒸発皿と、前記圧縮機と蒸発皿の後方に冷蔵庫前方から吸い込まれた風を冷蔵庫後方に排出する機械室背面カバーとを設けたことにより、前記機械室ファンによって冷蔵庫前方から吸い込まれる風は前記凝縮器を通過した後、向きを９０°以上変えることなくそのまま前記機械室ファンに吸い込まれ、その後、約９０°向きを変えて前記圧縮機と前記蒸発皿を通過して更に約９０°向きを変えて冷蔵庫後方に排出するようなり、前記凝縮器と前記圧縮機と前記蒸発皿によりスムーズに前記機械室ファンの風を流すようにすることができ、凝縮器と圧縮機の放熱効率および蒸発皿内の除霜水の蒸発効率を高めることができる。
【００１１】
請求項２に記載の発明は、請求項１に記載の発明において、前記冷蔵庫底面板の前記冷蔵庫底面カバーとの接続部の形状を、前記機械室ファンの吸込み部の面積が他部に比べ大きく確保できるように変化させたことにより、前記機械室ファンの吸込み部の風路抵抗を低減することができ、よりスムーズに前記機械室ファンの風を流すようにすることができ、より凝縮器と圧縮機の放熱効率および蒸発皿内の除霜水の蒸発効率を高めることができる。
【００１２】
請求項３に記載の発明は、請求項１または２に記載の発明において、前記機械室ファンの軸を横に並ぶ前記圧縮機側に５〜３０°傾けたことにより、前記機械室ファンを通過した風が垂直に前記機械室背面カバーに当たることを避けることができ、前記機械室ファンにかかる動圧を低減でき、動圧の増大によって発生するファン騒音を低減することができる。
【００１３】
請求項４に記載の発明は、請求項１から３のいずれか一項に記載の発明において、前記底面カバーの冷蔵庫前面側から２００〜４００ｍｍの位置に冷蔵庫運搬用取っ手を設けたことにより、前記冷蔵庫底面カバーに配設した凝縮器の放熱能力の低下を極力抑え、かつ、運搬上でもより持ち易い位置に冷蔵庫運搬用取っ手を設けることができ、冷凍サイクルの効率向上と冷蔵庫運搬の利便性向上の両立ができる。
【００１４】
（実施の形態１）
本発明による実施の形態１について、図面を参照しながら説明する。図１は本発明の実施の形態１による冷蔵庫の底面の平面図、図２は本発明の実施の形態１による冷蔵庫の下部の中央断面図である。
【００１５】
図１、２において冷蔵庫本体１の底面は、前部に平面状に折り曲げた凝縮管８ａに放熱フィン８ｂを取り付けたフィンチューブ型凝縮器８を配設した冷蔵庫底面カバー９と、前記冷蔵庫底面カバー９の後部に冷蔵庫底面板１０を設け、前記冷蔵庫底面板１０上に吸込み面を前記凝縮器８側に向けた機械室ファン１１と、前記機械室ファン１１の吐出側で機械室ファン１１の軸方向に対して横に並ぶに圧縮機１２と、前記圧縮機１２の上部に蒸発皿１３と、前記圧縮機１２と蒸発皿１３の後方に冷蔵庫前方から吸い込まれた風を冷蔵庫後方に排出する排出口１４を備えた機械室背面カバー１５から構成されている。
【００１６】
以上のように構成された冷蔵庫について、以下その動作、作用について説明する。機械室ファン１１によって冷蔵庫前方から吸い込まれる風はフィンチューブ型凝縮器８を通過し冷蔵庫の冷凍サイクル上必要なフィンチューブ型凝縮器８の冷却をした後、向きを９０°以上変えることなくそのまま前記機械室ファン１１に吸い込まれ、その後、約９０°向きを変えて圧縮機１２と蒸発皿１３を通過して更に約９０°向きを変えて機械室背面カバー１５の排出口１４から冷蔵庫後方に排出するようになり、前記フィンチューブ型凝縮器８と前記圧縮機１２と前記蒸発皿１３によりスムーズに前記機械室ファン１１の風を流すようにすることができ、フィンチューブ型凝縮器８と圧縮機１２の放熱効率および蒸発皿１３内の除霜水の蒸発効率を高めることができる。
【００１７】
なお、前記フィンチューブ型凝縮器８は、平面状に折り曲げた凝縮管を金属の棒でつないだワイヤー型凝縮器でも同様の効果が得られる。
【００１８】
（実施の形態２）
本発明による実施の形態２について、図面を参照しながら説明する。なお、実施の形態１と同一構成及び作用については、同一符号を付して詳細な説明を省略する。図３は本発明の実施の形態２による冷蔵庫の底面の平面図、図４は図３の機械室ファン部のＡ−Ａ断面図である。
【００１９】
図３、４においてまた、冷蔵庫底面板１０の前記冷蔵庫底面カバー９との接続部の形状を前記機械室ファン１１の吸込み部の面積が他部に比べ大きく確保できるように変化させている。
【００２０】
以上のように構成された冷蔵庫について、以下その動作、作用について説明する。機械室ファン１１の吸込み部の面積が大きく確保されたことにより風路抵抗が低減され、よりスムーズに前記機械室ファン１１の風を流すようにすることができ、フィンチューブ型凝縮器８と圧縮機１２の放熱効率および蒸発皿１３内の除霜水の蒸発効率をより高めることができる。
【００２１】
（実施の形態３）
本発明による実施の形態３について、図面を参照しながら説明する。なお、実施の形態１と同一構成及び作用については、同一符号を付して詳細な説明を省略する。図５は本発明の実施の形態３による冷蔵庫の底面の平面図である。
【００２２】
図５において、機械室ファン１１はその軸を横に並ぶ前記圧縮機１２側に５〜３０°傾けた位置に設置されている。
【００２３】
以上のように構成された冷蔵庫について、以下その動作、作用について説明する。機械室ファン１１を傾けて設置したことにより、前記機械室ファン１１を通過した風が垂直に前記機械室背面カバー１５に当たることを避けることができ、前記機械室ファンにかかる動圧を低減でき、動圧の増大によって発生するファン騒音を低減することができる。この時、前記機械室ファン１１の傾き角度５〜３０°は、図６の機械室ファン１２の傾き角度とファン風量およびファン騒音の相関グラフに示すように、ファンの風量を確保しつつ騒音を低減できる最適な傾きとなっている。
【００２４】
（実施の形態４）
本発明による実施の形態４について、図面を参照しながら説明する。なお、実施の形態１と同一構成及び作用については、同一符号を付して詳細な説明を省略する。図７は本発明の実施の形態４による冷蔵庫の底面の平面図である。
【００２５】
図７において、底面カバーの９冷蔵庫前面側から２００〜４００ｍｍの位置に、冷蔵庫運搬用取っ手１６を設けている。
【００２６】
以上のように構成された冷蔵庫について、以下その動作、作用について説明する。底面カバーの９に設けた冷蔵庫運搬用取っ手１６の位置は、人間の手から腕の肘までの長さに相当しており、冷蔵庫の運搬時に冷蔵庫前面側から底面を持つ時により力が入り易い位置になっている。また、底面カバーの９に冷蔵庫運搬用取っ手１６を設けたことにより背面カバー９上に設けられたフィンチューブ型凝縮器８の長さは短くなるが、冷蔵庫運搬用取っ手１６を設けた位置はフィンチューブ型凝縮器８の冷却のための空気の吸い込み口となる冷蔵庫前面部より離れているため、空気の温度が低くよりフィンチューブ型凝縮器８の熱交換効率が高い冷蔵庫前面部のフィンチューブ型凝縮器８の長さは確保できる。以上により、冷蔵庫運搬用取っ手１６を設けたことによるフィンチューブ型凝縮器８の放熱能力の低下を極力抑え、かつ、運搬上でもより持ち易い位置に冷蔵庫運搬用取っ手を設けることができ、冷凍サイクルの効率向上と冷蔵庫運搬の利便性向上の両立ができる。
【産業上の利用可能性】
【００２７】
以上のように、本発明にかかる冷蔵庫は、冷蔵庫本体の底面前部に凝縮器と、吸込み面を前記凝縮器側に向けた機械室ファンと、前記機械室ファンの吐出側でファンの軸方向に対して横に並ぶ位置に圧縮機と、前記圧縮機の上部に蒸発皿とを設けたことにより、前記凝縮器と前記圧縮機と前記蒸発皿によりスムーズに前記機械室ファンの風が流れるようにすることができ、凝縮器と圧縮機の放熱効率および蒸発皿内の除霜水の蒸発効率を高めることができるので、凝縮器とファンと圧縮機と蒸発皿を備えた機械室を有する冷凍機器全般の用途にも適用できる。
【図面の簡単な説明】
【００２８】
【図１】本発明による冷蔵庫の実施の形態１を説明する冷蔵庫の底面の平面図
【図２】本発明による冷蔵庫の実施の形態１を説明する冷蔵庫の下部の中央断面図
【図３】本発明による冷蔵庫の実施の形態２を説明する冷蔵庫の底面の平面図
【図４】本発明による冷蔵庫の実施の形態２を説明する図３のＡ−Ａ断面図
【図５】本発明による冷蔵庫の実施の形態３を説明する冷蔵庫の底面の平面図
【図６】本発明による冷蔵庫の実施の形態３を説明する機械室ファンの傾き角度とファン風量およびファン騒音の相関グラフ
【図７】本発明による冷蔵庫の実施の形態４を説明する冷蔵庫の底面の平面図
【図８】従来の冷蔵庫の底面の平面図
【符号の説明】
【００２９】
１    冷蔵庫本体
８    フィンチューブ型凝縮器
９    冷蔵庫底面カバー
１０    冷蔵庫底面板
１１    機械室ファン
１２    圧縮機
１３    蒸発皿
１５    機械室背面カバー
１６    冷蔵庫運搬用取っ手
【図１】
2006046788.tif 000003
【図２】
2006046788.tif 000004
【図３】
2006046788.tif 000005
【図４】
2006046788.tif 000006
【図５】
2006046788.tif 000007
【図６】
2006046788.tif 000008
【図７】
2006046788.tif 000009
【図８】
2006046788.tif 000010